(57)【要約】【課題】  全体をコンパクト化して、狭いスペース内に設置することができる防災瓦の成形装置を提供する。【解決手段】  フック部を有する防災瓦を、上型４と下型５間のキャビティ７内で原料を押圧して成形する加圧成形装置３であって、キャビティ７に連通してフック部形成空間７ａが上型４に形成され、フック部形成空間７ａ内に側面よりピン１２を挿入してフック部を成形できるように構成され、ピン１２は、上型４の上面または内部に設けられたシリンダ８の作動により横移動されるように構成されている。【選択図】  図１
2006321209.tif 000002
【特許請求の範囲】
【請求項１】
フック部を有する防災瓦を、上型と下型間のキャビティ内で原料を押圧して成形する防災瓦の成形装置であって、前記キャビティに連通してフック部形成空間が前記上型に形成され、該フック部形成空間内に側面よりピンを挿入して前記フック部を成形できるように構成され、前記ピンは、前記上型の上面または内部に設けられたシリンダの作動により横移動されるように構成したことを特徴とする防災瓦の成形装置。
【請求項２】
前記原料を押圧して成形する際に、前記上型と下型の整合前または整合と同時に前記ピンが前記フック部形成空間内に挿入されるように構成したことを特徴とする請求項１に記載の防災瓦の成形装置。
【発明の詳細な説明】
【技術分野】
【０００１】
本発明は、防災瓦の成形装置に関するものである。
【背景技術】
【０００２】
従来、瓦の浮き，ズレを防いで耐風機能を付与された防災瓦には、鈎状のフック部が突出状に一体形成されており、このようなフック部を有する防災瓦を加圧成形する成形装置として、例えば特許文献１に開示されているような成形装置が存在する。
【特許文献１】特許第３５６０６０３号公報
【発明の開示】
【発明が解決しようとする課題】
【０００３】
上記した特許文献１に開示されている防災瓦の成形装置では、大型のシリンダが側面に配置されており、全体が大型化して、この装置を設置するスペースも大となり、また、成形装置の周辺に取り出し装置等を設置することが困難で、広いスペースが必要となってしまうという問題点があった。
【課題を解決するための手段】
【０００４】
本発明は上記従来の問題点に鑑み案出したものであって、全体を小型化してコンパクト化することができ、また、狭いスペース内に良好に効率良く設置できる防災瓦の成形装置を提供せんとするものであり、その請求項１は、フック部を有する防災瓦を、上型と下型間のキャビティ内で原料を押圧して成形する防災瓦の成形装置であって、前記キャビティに連通してフック部形成空間が前記上型に形成され、該フック部形成空間内に側面よりピンを挿入して前記フック部を成形できるように構成され、前記ピンは、前記上型の上面または内部に設けられたシリンダの作動により横移動されるように構成したことである。
また、請求項２は、前記原料を押圧して成形する際に、前記上型と下型の整合前または整合と同時に前記ピンが前記フック部形成空間内に挿入されるように構成したことである。
【発明の効果】
【０００５】
本発明は、フック部を有する防災瓦を成形する成形装置であって、上型と下型間のキャビティに連通してフック部形成空間が上型に形成され、フック部形成空間内に側面よりピンを挿入してフック部を成形できるように構成され、ピンは、上型の上面または内部に設けられたシリンダの作動により横移動されるように構成したことにより、エアまたは油圧式のシリンダを成形装置の上型の上面または内部に設け、このシリンダにピンを連繋させて、良好にピンをフック部形成空間内に出没移動させることができるものとなり、大型のシリンダが側面に存在しないために成形装置全体がコンパクト化したものとなり、狭い空間内に設置できるものとなる。また、成形装置の側面側に良好に取り出し装置等を設置することができるものとなる。
【０００６】
また、原料を押圧して成形する際に、上型と下型の整合前または整合と同時に、ピンがフック部形成空間内に挿入されるように構成したことにより、上型と下型の整合する前、または整合と同時に、ピンがフック部形成空間内に挿入されるため、ピンを柔らかいフック部成形空間内の原料内に挿入でき、ピンを挿入させるためにそれほど大きな力を必要とせず、ピンを挿入させるためのシリンダも小型のもので良く、シリンダを小型化させて成形装置全体をコンパクト化できるものとなる。
【実施例】
【０００７】
以下、本発明の実施例を図面に基づいて説明する。
図１は、防災瓦を成形するための加圧成形装置の概略縦断面構成図である。
加圧成形装置３は、上型４と下型５を有し、側面側には外枠体６が設けられており、この外枠体６と上型４と下型５間に、原料を入れることのできるキャビティ７が形成されており、このキャビティ７と連通状に、上型４の図示右端には凹み状にフック部形成空間７ａが形成されている。
【０００８】
上型４の上面にはエアまたは油圧式のシリンダ８が設置されており、このシリンダ８から右横方向に延びてスライダー９が設けられ、スライダー９は、上型４の上面に固設されたガイド１０内に挿通され、シリンダ８の作動によりガイド１０にガイドされて横方向に移動されるものである。
【０００９】
このスライダー９の図示右端側には、垂下状に連結部１１が連結されており、連結部１１は右側の外枠体６の外側に配置されて、連結部１１の下端には、スライダー９と平行状にピン１２が設けられ、このピン１２は、右側の外枠体６に貫通形成されているガイド部６ａ内に挿通されてフック部形成空間７ａに臨まされている。
【００１０】
図1の状態からシリンダ８が作動されると、スライダー９が図示左側へ移動し、これに伴い連結部１１を介してピン１２が図示左側へ横移動して、ピン１２の先端は、上型４内のフック部形成空間７ａ内に挿入されることとなる。
また、シリンダ８が逆方向に作動されることで、スライダー９の右方向への横移動に伴い連結部１１を介しピン１２が右方向へ横移動して、図１の状態、即ちフック部形成空間７ａから抜脱した状態となる。
【００１１】
このような加圧成形装置３を用いて、例えば図３の概略図で示すような防災平瓦１を、キャビティ７，フック部形成空間７ａ内で原料を押圧して成形することができるものである。
図3の防災平瓦１は、表面１ａから上方へ鈎状に突出してフック部２が一体形成されており、このフック部２は、傾斜状に上方へ立ち上がる立上部２ａの上端で湾曲しながら横方向へ延びる水平部２ｂが一体形成されて、水平部２ｂと表面１ａ間に差込空間Ｓが形成され、この差込空間Ｓ内に別の瓦を差し込むことで、瓦の浮き，ズレを防いで、耐風機能が付与される。
【００１２】
この防災平瓦１の本体部はキャビティ７内で成形され、フック部２はフック部形成空間７ａ内で形成されるものである。
即ち、キャビティ７及びフック部形成空間７ａ内に原料が充填された状態で、上型４と下型５が整合されて、内部で図３の防災平瓦１が押圧形成されるものであるが、上型４と下型５が整合される前、または整合と同時に、前記シリンダ８が作動してピン１２がフック部形成空間７ａ内に挿入状態となるように成形装置が制御される。
【００１３】
図２の拡大概略構成図で示すように、フック部形成空間７ａ内にピン１２が挿入された状態で、上型４と下型５の整合により原料が内部で押圧されることにより、フック部形成空間７ａ内で防災平瓦１のフック部２が押圧形成されるものである。
即ち、図２に示すように、ピン１２が挿入されていることで、このピン１２の外周が差込空間Ｓを形成することとなり、その外周側のフック部形成空間７ａの内壁でフック部２の立上部２ａと水平部２ｂが形成されることとなる。
【００１４】
本例の加圧成形装置３では、上型４と下型５が整合される前、即ち内部の原料がまだ押圧されていない柔らかい状態の時に、ピン１２がフック部形成空間７ａ内に挿入されるものであるため、それほどの挿入力を要することなく軽い力でピン１２をフック部形成空間７ａ内に挿入することができるものである。従って、シリンダ８も小型のもので良く、装置全体を小型化できるものである。
【００１５】
ピン１２が挿入された状態で上型４と下型５が整合されて、内部で図３のような防災平瓦１が成形された後には、ピン１２がフック部形成空間７ａから外側へ抜脱した状態とされ、この状態で上型４が上昇して、内部で成形された防災平瓦１が図示しない取り出し装置により取り出されるものである。
【００１６】
なお、本例の加圧成形装置３では、側方には連結部１１のみが存在するものであるため、この右側の側面側などに取り出し装置等の付属装置を良好に配置させることができ、関連装置の設置レイアウトを良好に行なうことができて、狭い空間内に加圧成形装置３をコンパクト化して設置できるものとなる。
【００１７】
なお、本例では、シリンダ８を上型４の上面に設けたものを例示しているが、上型４内にシリンダ８を設け、さらに上型４内にスライダー９を設けて構成すれば、よりコンパクトな加圧成形装置となり、より省スペース化が可能なものとなる。
【００１８】
なお、前記ピン１２は、丸形状のものを例示しているが、三角，四角等の異形の形状であっても良く、異形の形状である場合には、前記差込空間Ｓもピン１２に対応した異形の形状に形成される。
【図面の簡単な説明】
【００１９】
【図１】加圧成形装置の概略縦断面構成図である。
【図２】上型内のフック部形成空間内にピンを挿入して防災平瓦のフック部を形成させる状態の要部概略拡大構成図である。
【図３】成形される防災平瓦の側面概略構成図である。
【符号の説明】
【００２０】
１  防災平瓦
２  フック部
２ａ  立上部
２ｂ  水平部
３  加圧成形装置
４  上型
５  下型
６  外枠体
６ａ  ガイド部
７  キャビティ
７ａ  フック部形成空間
８  シリンダ
９  スライダー
１０  ガイド
１１  連結部
１２  ピン
Ｓ  差込空間
【図１】
2006321209.tif 000003
【図２】
2006321209.tif 000004
【図３】
2006321209.tif 000005